(57)【要約】      （修正有）【課題】アンカーボルトを打たずに機械や装置を床に固定し地震等による機械や装置の転倒事故を防止する転倒防止治具を提供する。【解決手段】転倒防止治具は、マット接着プレート、水準プレート、押さえプレート、接着プレートボルト及びナット、水準ボルト及びナットからなる。粘着マットを貼り付けたマット接着プレート部分と貼り付けない水準プレート部分を分離し双方を押さえプレートにより接続する。粘着マットを貼り付けない水準プレート部分に水準ボルトを立てて機械や装置の水平を出せるようにする。【選択図】図１
0003155414.tif 000002
【実用新案登録請求の範囲】
【請求項１】
機械や装置を地震等の揺れによる転倒から防止するために 機械や装置の下部と床との間に取付ける強力な粘着マットを使用した治具を考案しましたのでこの構造を請求します 粘着マットを貼り付けるマット接着プレートを使用すること、機械や装置の重量によりマット接着プレートの大きさを変えるものであること
機械や装置の水平を出す為の機械水準ボルトを受ける粘着マットを貼らない水準プレートを使用すること 機械水準ボルトと接着プレートボルトを遊動的に接続する押さえプレートを使用すること 接着プレートボルトは接着プレートの中心に位置すること 水準プレートは接着プレートの角に位置すること
これらのことにより治具は機械や装置の下部の中に納まり機械や装置のベースの外には最小限のはみ出しとすること
【考案の詳細な説明】
【技術分野】
【０００１】
本考案は、強力な粘着マットを貼り付けた治具を工場や事務所の機械や装置の下に装着し床に貼り付けて固定し地震等の振動による転倒を防止する転倒防止治具に関するものである
【背景技術】
【０００２】
すでに置物や家具のような軽量物の下に直接敷いて置物や家具などを床と接着させ地震の振動などによる転倒を防止するために使用されているプロセブン製の強力な粘着マットは震度7に対応する実績をもっております  このような強力な粘着マットを使用して機械や装置のような重量物の地震による転倒を防止する治具を作成するものであります
【先行技術文献】
【非特許文献】
【０００３】
【非特許文献１】山田一夫著「震度7へ挑む」日刊工業出版
【考案の概要】
【考案が解決しようとする課題】
【０００４】
ひとたび大きな地震が発生した場合 工場の中に設置されている機械類及び装置類はその大きな揺れにより転倒し、破損して大変な被害が発生します。工場の生産を再開するまでには
機械や装置の起し据付や修理に多大な時間と労力と費用を掛けなくてはならず また仕事を頂いているお客様にも納期の遅延等で大きな迷惑を掛けることになるため
大地震が発生した場合に機械や装置の転倒を防止する手立てがどうしても必要とされています 現在はアンカーボルトを床に打ち込みアンカーボルトにより転倒防止を行っておりますが 床が穴だらけになりますし アンカー下部の膨張により床が部分的に破損し その結果床の耐荷重に問題が発生することがあります また機械や装置を移設した場合
アンカーボルトによって空いた穴を埋める工事が必要になります
【０００５】
そこで強力な粘着マットを使用して床に貼り付ける治具を作成しその治具を機械や装置へ装着する方法で機械や装置の地震による転倒防止を図りたい
【０００６】
この治具は装着する機械や装置の水平を出せるような治具で無くてはならない
【０００７】
この強力な粘着マットを使用した治具により設置した機械や装置の移設を簡単に行えるようにしなくてはならない
【課題を解決するための手段】
【０００８】
この実用新案を申請する機械や装置の転倒防止治具は機械や装置の下側についている機械水準ボルトを利用して装着するもので治具の下側に貼り付けた強力な粘着マットにより機械や装置を床に貼り付け
固定して地震の振動による機械や装置の転倒を防止いたします そしてこのように粘着マットで床に貼り付ける部分であるマット接着プレートと機械や装置の水平を出すために粘着マットの貼られていない水準プレートの部分が分離されており
その間はマット接着プレートボルトと機械水準ボルトが押さえプレートにより繋がっていて機械や装置が地震などで振動したときは互いに連動して機械や装置の転倒を防止いたします
【０００９】
機械や装置の重量により治具の下側のマット接着プレートの大きさを変えることにより粘着マット(100mm×100mm×5mm  耐荷重100kg or
50mm×50mm×5mm耐荷重25kg)の枚数を適宜に変更して地震で予想される垂直ニュートンや水平ニュートンの力に耐えることのできる最適な接着力を持った治具とすることが出来ます
【００１０】
この治具はマット接着プレートに貼り付けた粘着マットが床に貼りつき、水平を出すために粘着マットを貼って無い水準プレートが別になっており
この二つは押さえプレートで遊動的に繋がっていて粘着マットの弾力に影響されること無く床にじか置きになっている水準プレートにより精密に機械や装置の水平レベルを出すことができます
押さえプレートの接着プレートボルトの取り付け穴の位置における曲げ応力の値は図2の下部で示す計算式通り  曲げ応力(40kg/mm2)で材料強度(43kg/mm2)を下回っており機械水準ボルトにかかる垂直ニュートンや水平ニュートンに十分耐えられるステン板の厚さと高さとなっております そしてひとたび地震が発生し縦方向の揺れにより機械や装置が上に跳ね上がった場合には押さえプレートの機械水準ボルトが上に上がりマット接着プレートの中心に位置する接着プレートボルトは押さえプレートがテコの働きをしてマット接着プレートを均一に持ち上げるため粘着マットの全体の粘着力で装置が跳ね上がるのを防止することになり
粘着マットの性能が最大限に発揮され機械や装置の転倒を防止することになります マット接着プレートの大きさは、取付ける機械や装置の重量に適合した粘着マットの使用枚数により変わってくるので機械水準ボルトと接着プレートボルトの間の距離が変わることになり
押さえプレートの大きさも変わってくる   押さえプレートの接着プレートボルトの取り付け穴の位置における曲げ応力は接着プレートの大きさに合わせて押さえプレートの幅と高さまた材料の厚さを設計して
その材料の強度を下回るものでなくてはならない
【００１１】
設置した機械や装置の移設を簡単に行えるようにしなくてはなりません
粘着マットは小型のバール等で剥がすことが出来、また汚れを洗剤などで取り去れば再利用ができますので
機械や装置の設置位置やレイアウト変更を簡単に安価に行うことが出来ます
【考案の効果】
【００１２】
このようにこの粘着マット治具を機械や装置の下に装着すれば地震の時に転倒を防止することが出来ます。床に穴が空きませんので床の破損、耐荷重の低下は発生しません
【００１３】
精密機械や装置の水平はきちんと出すことが出来ます
【００１４】
また機械や装置のレイアウトや移設を行う時は、粘着マットを小型のバール等で床から剥がし、洗ってきれいにすれば再利用可能な為、簡単に安価に移設を行うことが出来ます
【図面の簡単な説明】
【００１５】
【図１】図１は粘着マットを使用した機械の転倒防止治具の概観図です
【図２】図２は粘着マットを使用した機械の転倒防止治具の押さえプレートの曲げ応力に関する性能計算表です
【考案を実施するための形態】
【００１６】
装着した機械や装置の安定度を高める為、治具の高さを最低限の高さにしました 形態はシンプルに最低限の部品点数として価格を抑えました 治具製作の工賃が掛からないように溶接や溶断は行わず
シャーリングによる切断とボーリングによる穴空け 螺子きり そしてベンダーによる曲げ加工を行い押さえプレートの側面の曲げ応力に関する強度を出しました
【００１７】
図１に示す通り形はシンプルで最少の部品点数としました。
【００１８】
図2の下部に於いて計算された内容で示す通り押さえプレートの接着プレートボルト取り付け部の側面部分にかかる曲げ応力は材料の強度を下回っており曲がってしまうことはありません
機械や装置の重量によりこの側面部分に必要な曲げ応力は変わってくるので重量により押さえプレートの長さと幅と高さは検討しなければならない  ことに高さについては材料の強度より曲げ応力が小さくなるように設計をしなくてはならない。
【００１９】
治具の下側のマット接着プレートの大きさを変えることにより粘着マット(100mm×100mm×5mm  耐荷重100kg or 50mm×50mm×5mm耐荷重25kg)の枚数を適宜に変更して地震で予想される垂直ニュートンや水平ニュートンの力に耐えることのできる最適な接着力を持った治具とすることが出来ます
マット接着プレートの大きさを300mm×300mmとした場合100mm×100mm×5mmの粘着マットを８枚貼り付けることが出来、８枚で800kgの接着力となる。機械のベースの４箇所にこの治具を取り付けた場合 3200kgの接着力となり 安全率を5%見て3000kgの機械に取付けることが出来ます
【００２０】
最強の粘着マットであるプロセブンマットの接着性能の検証を行う
(財)科学物質評価研究機構に於いての試験結果によれば
プロセブンマット100mm×100mm×5mm１枚の性能は
垂直方向        3,550N  
であり
水平方向        1,550N    である
１ニュートンNは1kgの質量を持った物質に1m毎秒毎秒m/s2の加速度を生じさせる力である。ニュートンNは組立て単位であり、基本単位で書き表すとN=kg・m・s-2キログラムメートル毎秒毎秒
となる。質量1kgの重量は約9.81Nであるこのことから約101.94gの物体は約１ニュートンNの重量を持つことになる。これにより以下の計算が出来る
プロセブンマット100mm×100mm×１枚の接着性能は
垂直方向  3,550N÷9.81N=
361kg 垂直方向に361kgの重量まで耐えられる
水平方向  1,550N÷9.81N＝158kg 水平方向に158kgの重量まで耐えられる
ということになる
機械の下へ取り付けるプロセブンマット用冶具はプロセブンマット100mm×100mm１枚を100kgの接着力で計算しているので安全率は垂直方向361%、水平方向158%となる    
【００２１】
床用塗料とピータイルのコンクリート床との接着力についての検証を行う
強力な粘着マットを床に貼り付ける場合 床に塗料が塗られている場合とピータイルが貼られている場合が考えられる                                                      
【００２２】
塗料の床への接着力の検証を行う
塗料床はモルタルやコンクリートの床の上にプライマーと呼ばれる接着材を塗りその上に塗料を塗る この場合プライマーの種類により塗料のコンクリートへの接着力が異なる プライマーの能力は1cm2で20kgから30kgである 一般的に20kgと見ておけば良い プロセブンの10cm×10cmの粘着マットを接着力1cm2 20kgの塗装をした床に貼ったとすると  10cm×10cm=100cm2    100cm2÷1cm2=100  20kg×100=2000kgの密着度となり10cm×10cmのプロセブンマット1枚の粘着力を100kgとして冶具が設計されているのでまったく問題は無い
【００２３】
ピータイルの床への接着力の検証を行う
ピータイルをコンクリートの床の上に貼る場合は液状の合成ゴム系ラテックス形接着材(セメント)で貼り付ける接着の強度はセメントの品質により異なり「セメントP( 0.2N/mm2 )」から「セメントＥＰ20(2.0 N/mm2 )」まで使われている もっとも粘着力の弱いセメントPで検証してみると1N=101.94g/mm２であるから0.2 N/mm2=20.4g/mm2である
cm2に直すと0.2 N/mm2=2040g/cm2となり、kgに直せば0.2 N/mm2=2.04kg/ cm2 である。プロセブンマット10cm×10cmをこのピータイルの上に貼り付けた場合10×10=100個であるから100×2.04kg=204kgの密着度となり1.に示した塗料の10分の1ほどの密着度で有るが100kgより大きい値で有るので問題は無い 尚 セメントEP20を使用したピータイル床であればセメントPに比較して10倍の密着度があるので塗料と同様となりまったく問題は無い  
【産業上の利用可能性】
【００２４】
性能のよい粘着マットを利用して機械や装置を工場の床に貼り付けて固定する治具を製作すればアンカーボルトを床に打って機械や装置を固定した場合に生ずる床に空けた穴による床の破損及び床の耐荷重の低下そしてその機械を移設した場合のアンカー穴の補修工事に掛かる費用等を考えれば
何回でも剥がして使用することが出来る粘着マットの治具は必ず工場に於いて使用されると確信をする所であります          
0003155414.tif 000003
【手続補正書】
【提出日】平成21年7月15日(2009.7.15)
【手続補正１】
【補正対象書類名】実用新案登録請求の範囲
【補正対象項目名】全文
【補正方法】変更
【補正の内容】
【実用新案登録請求の範囲】
【請求項１】
機械や装置を地震等の震動による転倒事故から防止するために 機械や装置の下部の水準ボルトを利用して治具を装着し治具と床との間に強力な粘着マットを貼り付け床に機械や装置を固定する、強力粘着マットを使用した機械や装置の転倒防止治具を考案したのでこの治具の構造を請求する。この治具の構造は下記の三つの部分からなる(1)機械や装置の水平を出す為に機械や装置のベースの下に空けられた雌ねじにねじ込む機械水準ボルト4を床で受けるための水準プレート2を使用する。この水準プレート2には粘着マットは貼らないので機械や装置の水平を出すことが出来る。(2)転倒を防止したい機械や装置を床に強力な粘着マットにより貼付け固定するためにマット接着プレート1を使用する。マット接着プレート1の中心に空けられた雌ねじには接着プレートボルト5がねじ込まれている。マット接着プレートの一箇所の角には(1)の水準プレート2がピッタリ収まる大きさの切り込みが入っている。水準プレート2はマット接着プレート1の角の切り込んだ部分に設置する。水準プレート2は機械や装置の下部ベースの外向き側の位置に置きマット接着プレート1は内向き側に置くものである。このことにより治具は機械や装置の下部のベースの大きさの中に、ほとんどが納まり機械や装置のベースの外には最小のはみ出しとなる。そして機械や装置の重量によりマット接着プレート1の大きさ(面積)と厚さを変えてマット接着プレート1の下に貼り付ける強力粘着マット8の枚数を変えることにより多様な重量の機械や装置の転倒防止に対応する。(3) 機械水準ボルト4と接着プレートボルト5及びマット接着プレート1を接続するのが押さえプレート3である。押さえプレート3上部には機械水準ボルト4を通す穴と接着プレートボルト5を通す穴を空けそれぞれのボルトを穴に通し機械水準ボルト4は機械や装置のベースの下側の雌ねじにねじ込みレベルを調整して機械水準ナット7で機械や装置と機械水準ボルト4を固定する。同様にして機械や装置の残りの三隅に取り付けた機械水準ボルト4を調整して機械や装置の水平を出す。機械水準ナット7は２個使用してダブルナットとする。そして接着プレートボルトに押さえナット6をねじ込むことにより押さえプレート3で機械水準ボルト4と接着プレートボルト5は遊動的に接続する。接着プレートボルト5がマット接着プレート1と接続していることにより機械水準ボルト4とマット接着プレート1が繋がることになり地震時に於いて機械や装置が激しく震動しても強力粘着マットの床への粘着力により機械や装置の転倒防止が図られる。この押さえプレート3は機械や装置の重量により図2の曲げ応力(A)が使用する金属材料の材質の強度を下回るように、形は同様にして材料の厚さと幅と高さを変更しなくてはならない。以上からなる強力粘着マットを使用した機械や装置の転倒防止治具の構造を請求いたします。
【手続補正２】
【補正対象書類名】明細書
【補正対象項目名】０００２
【補正方法】変更
【補正の内容】
【０００２】すでに置物や家具のような軽量物の下に直接敷いて置物や家具などを床と接着させ地震の震動などによる転倒を防止するために使用されている強力な粘着マットは震度７に対応する実績をもっております  このような強力な粘着マットを使用して機械や装置のような重量物の地震による転倒を防止する治具を作成するものであります。
【手続補正３】
【補正対象書類名】明細書
【補正対象項目名】００２０
【補正方法】変更
【補正の内容】
【００２０】最強の粘着マットの接着性能の検証を行う(財)科学物質評価研究機構に於いての試験結果によれば強力粘着マット100mm×100mm×5mm１枚の性能は垂直方向        3,550N   であり水平方向        1,550N    である１ニュートンNは1kgの質量を持った物質に1m毎秒毎秒m/s2の加速度を生じさせる力である。ニュートンNは組立て単位であり、基本単位で書き表すとN=kg・m・s-2キログラムメートル毎秒毎秒 となる。質量1kgの重量は約9.81Nであるこのことから約101.94gの物体は約１ニュートンNの重量を持つ。これにより以下の計算が出来る垂直方向  3,550N÷9.81N=361kg 垂直方向に361kgの重量まで耐えられる水平方向  1,550N÷9.81N＝158kg 水平方向に158kgの重量まで耐えられるということになる機械の下へ取り付ける強力粘着マット用冶具は強力粘着マット100mm×100mm１枚を100kgの接着力で計算しているので安全率は垂直方向361%、水平方向158%となる    
【手続補正４】
【補正対象書類名】明細書
【補正対象項目名】００２１
【補正方法】変更
【補正の内容】
【００２１】  床用塗料とピータイルのコンクリート床との接着力についての検証を行う強力な粘着マットを床に貼り付ける場合 床に塗料が塗られている場合とピータイルが貼られている場合が考えられる
【手続補正５】
【補正対象書類名】明細書
【補正対象項目名】００２２
【補正方法】変更
【補正の内容】
【００２２】塗料の床への接着力の検証を行う  塗料床はモルタルやコンクリートの床の上にプライマーと呼ばれる接着材を塗りその上に塗料を塗る この場合プライマーの種類により塗料のコンクリートへの接着力が異なるプライマーの能力は1cm2で20kgから30kgである 一般的に20kgと見ておけば良い 粘着マットの10cm×10cmの粘着マットを接着力1cm2 20kgの塗装をした床に貼ったとすると  10cm×10cm=100cm2 100cm2÷1cm2=100  20kg×100=2000kgの密着度となり10cm×10cmの粘着マット1枚の粘着力を100kgとして冶具が設計されているのでまったく問題は無い
【手続補正６】
【補正対象書類名】明細書
【補正対象項目名】００２３
【補正方法】変更
【補正の内容】
【００２３】ピータイルの床への接着力の検証を行うピータイルをコンクリートの床の上に貼る場合は液状の合成ゴム系ラテックス形接着材(セメント)で貼り付ける接着の強度はセメントの品質により異なり「セメントP( 0.2N/mm2 )」から「セメントＥＰ20(2.0 N/mm2 )」まで使われている もっとも粘着力の弱いセメントPで検証してみると1N=101.94g/mm２であるから0.2 N/mm2=20.4g/mm2であるcm2に直すと0.2 N/mm2=2040g/cm2となり、kgに直せば0.2 N/mm2=2.04kg/cm2 である。粘着マット10cm×10cmをこのピータイルの上に貼り付けた場合10×10=100個であるから100×2.04kg=204kgの密着度となり1.に示した塗料の10分の1ほどの密着度で有るが100kgより大きい値で有るので問題は無い 尚 セメントEP20を使用したピータイル床であればセメントPに比較して10倍の密着度があるので塗料と同様となりまったく問題は無い   
【手続補正７】
【補正対象書類名】図面
【補正対象項目名】図１
【補正方法】変更
【補正の内容】
【図１】
0003155414.tif 000004
【手続補正８】
【補正対象書類名】図面
【補正対象項目名】図２
【補正方法】変更
【補正の内容】
【図２】
0003155414.tif 000005
【手続補正書】
【提出日】平成21年9月14日(2009.9.14)
【手続補正１】
【補正対象書類名】実用新案登録請求の範囲
【補正対象項目名】全文
【補正方法】変更
【補正の内容】
【実用新案登録請求の範囲】
【請求項１】
機械や装置を地震等の震動による転倒事故から防止するために 機械や装置の下部ベース部分の隅に下側から雌ねじを切ってそこにねじ込まれている水準ボルトを利用して、考案した治具を装着し治具と床との間に強力な両面粘着マットを貼り付けて床に機械や装置を固定する、強力粘着マットを使用した機械や装置の転倒防止治具を考案したのでこの治具の構造を請求する、この治具の構造は下記に示すマット接着プレートと水準プレート、押さえプレートの三つの構成部分と接着プレートボルト及びナットと水準ボルト及びナットからなる
マット接着プレートは転倒を防止したい機械や装置を床に強力な両面粘着マットにより貼付け固定するための強度を持った金属或いは合成樹脂の板で有る、この板の下側には両面が粘着する強力粘着マットが貼り付けられていてこのマット接着プレートと床、両面に貼りつき機械や装置の転倒を防止する、マット接着プレートは機械や装置の重量により大きさ(面積)と厚さを変えてその下に貼り付ける両面粘着マットの枚数を変えることにより色々な重量の機械や装置の転倒防止に対応する、マット接着プレートの粘着マット貼付け面の反対の面の中心に空けられた雌ねじには、押さえプレートを取り付ける接着プレートボルト(頭の無いボルト)がねじ込まれている、マット接着プレートの一箇所の角には、正方形の水準プレートがピッタリ収まる大きさの切り込みが入っている、この切り込みの中に水準プレートは設置する、水準プレートは取り付ける機械や装置の荷重に耐えられる強度を持った金属或いは合成樹脂の板である、機械や装置のベースの下の水準ボルトの下に敷く、水準プレートには粘着マットは貼り付けず床にじかに置くので機械や装置の水平を出すことが出来る、そして押さえプレートは機械水準ボルトと接着プレートボルトを接続するものである、押さえプレートは１枚の金属プレートをコの字形に折り曲げたものであり、コの字の左側の空いた部分を下にしてマット接着プレートの上に乗せる、押さえプレート上部には機械水準ボルトを通す穴と接着プレートボルトを通す穴が空いていてそれぞれのボルトを穴の下から通す、機械水準ボルトは予めナットを付けて押さえプレートの穴の下から通して機械水準ナット2個を付けて機械や装置のベースの下側の雌ねじにねじ込み水平レベルを調整して機械水準ナットで機械や装置と機械水準ボルトを固定する、同様にして機械や装置の残りの三隅以上の場所に取り付けられた治具の機械水準ボルトをそれぞれ調整して機械や装置の水平を出す、そして接着プレートボルトを押さえプレートの穴に通し、押さえナットを上からねじ込むことにより押さえプレートで機械水準ボルトと接着プレートボルトは遊動的に接続する、接着プレートボルトがマット接着プレートにねじ込まれていることにより機械水準ボルトとマット接着プレートが繋がることになる、押さえプレートの上部の機械水準ボルトを通す穴は水準プレートの中心に機械水準ボルトが載るようにまた押さえプレートが水準プレートの外にはみ出ないように空ける、接着プレートボルトを通す穴は接着プレートボルトが接着プレートの中心に取り付けられているからその位置に合わせて空けられる、この押さえプレートは取り付ける機械や装置の重量により震動した時に水準ボルトが跳ね上がろうとする力が異なるので押さえプレート上の接着プレートボルトの穴の位置のコの字の断面の曲げ応力(A)を以下の計算式により計算し水準ボルトの跳ね上がり時の曲げ応力に耐えられる強度の材料の厚さと高さと幅にする、水準ボルトと接着ボルトの距離=Ｌ、機械や装置の震動により水準ボルトが上に上がろうとする力=Ｐ、Ｐにより押さえプレートの接着プレートボルト取付け位置での動こうとする力モーメント  Ｍ=Ｐ×Ｌ、h2は押さえプレートの側面の高さ、材料の厚さはb1、b2、h1で１枚の板を曲げたもので���るから同じである、Ｚ=(b1×h1×h1÷6)+(2×b2×h2×h2)となり曲げ応力(Ａ)=Ｍ÷Ｚとなりこの値が使用する金属材料の材質の強度を下回るように、形状は同様にして材料の厚さと幅と高さを変更することにより対応する、この治具の機械や装置の下への設置方法は以下の通りである、マット接着プレートは水準プレートをその切り込んだ部分に入れる、機械水準ボルトを水準プレートの中心に載せこの機械水準ボルトを支点として治具は機械や装置のベースの下の内側に向け設置する、外側の機械水準ボルトと内側の接着プレートボルトを結ぶ線が機械や装置のベースの中心の位置に向くように設置する、このことにより機械や装置のベースの下４隅以上の位置に床に接着設置された治具が地震の震動により相互に動こうとする力を抑えて機械や装置は動くことは無い、またこの設置方法により治具は機械や装置の下部のベースの大きさの中に、ほとんどが納まり機械や装置のベースの外側には最小限のはみ出しとなり、作業者が歩行中に治具の出っ張りにつまづき転倒する等の事故防止に対する安全を確保している、このような構造の地震対策治具を使用することにより地震発生時に於いて機械や装置が激しく震動して機械水準ボルトが動こうとしてもマット粘着プレートの強力な粘着マットの床への粘着力により機械水準ボルトは動かず機械や装置の転倒防止が図られる、以上の強力粘着マットを使用した機械や装置の転倒防止治具の構造を請求いたします。
【手続補正２】
【補正対象書類名】明細書
【補正対象項目名】０００２
【補正方法】変更
【補正の内容】
【０００２】
すでに置物や家具のような軽量物の下に直接敷いて置物や家具などを床と接着させ地震の震動などによる転倒を防止するために使用されている強力な粘着マットは震度７に対応する実績をもっております  このような強力な粘着マットを使用して機械や装置のような重量物の地震による転倒を防止する治具を作成するものであります。
【手続補正３】
【補正対象書類名】明細書
【補正対象項目名】００２０
【補正方法】変更
【補正の内容】
【００２０】
最強の粘着マットの接着性能の検証を行う
(財)科学物質評価研究機構に於いての試験結果によれば
強力粘着マット100mm×100mm×5mm１枚の性能は
垂直方向        3,550N   であり
水平方向        1,550N    である
１ニュートンNは1kgの質量を持った物質に1m毎秒毎秒m/s2の加速度を生じさせる力である。ニュートンNは組立て単位であり、基本単位で書き表すとN=kg・m・s-2キログラムメートル毎秒毎秒 となる。質量1kgの重量は約9.81Nであるこのことから約101.94gの物体は約１ニュートンNの重量を持つ。これにより以下の計算が出来る
垂直方向 
3,550N÷9.81N= 361kg 垂直方向に361kgの重量まで耐えられる
水平方向  1,550N÷9.81N＝158kg 水平方向に158kgの重量まで耐えられる
ということになる
機械の下へ取り付ける強力粘着マット用冶具は強力粘着マット100mm×100mm１枚を100kgの接着力で計算しているので安全率は垂直方向361%、水平方向158%となる    
【手続補正４】
【補正対象書類名】明細書
【補正対象項目名】００２１
【補正方法】変更
【補正の内容】
【００２１】
床用塗料とピータイルのコンクリート床との接着力についての検証を行う
強力な粘着マットを床に貼り付ける場合 床に塗料が塗られている場合とピータイルが貼られている場合が考えられる
【手続補正５】
【補正対象書類名】明細書
【補正対象項目名】００２２
【補正方法】変更
【補正の内容】
【００２２】
塗料の床への接着力の検証を行う
塗料床はモルタルやコンクリートの床の上にプライマーと呼ばれる接着材を塗りその上に塗料を塗る この場合プライマーの種類により塗料のコンクリートへの接着力が異なる
プライマーの能力は1cm2で20kgから30kgである 一般的に20kgと見ておけば良い 粘着マットの10cm×10cmの粘着マットを接着力1cm2 20kgの塗装をした床に貼ったとすると  10cm×10cm=100cm2 
100cm2÷1cm2=100  20kg×100=2000kgの密着度となり10cm×10cmの粘着マット1枚の粘着力を100kgとして冶具が設計されているのでまったく問題は無い
【手続補正６】
【補正対象書類名】明細書
【補正対象項目名】００２３
【補正方法】変更
【補正の内容】
【００２３】
ピータイルの床への接着力の検証を行う
ピータイルをコンクリートの床の上に貼る場合は液状の合成ゴム系ラテックス形接着材(セメント)で貼り付ける接着の強度はセメントの品質により異なり「セメントP( 0.2N/mm2 )」から「セメントＥＰ20(2.0 N/mm2 )」まで使われている もっとも粘着力の弱いセメントPで検証してみると1N=101.94g/mm２であるから0.2 N/mm2=20.4g/mm2である
cm2に直すと0.2
N/mm2=2040g/cm2となり、kgに直せば0.2 N/mm2=2.04kg/ cm2 である。粘着マット10cm×10cmをこのピータイルの上に貼り付けた場合10×10=100個であるから100×2.04kg=204kgの密着度となり1.に示した塗料の10分の1ほどの密着度で有るが100kgより大きい値で有るので問題は無い 尚 セメントEP20を使用したピータイル床であればセメントPに比較して10倍の密着度があるので塗料と同様となりまったく問題は無い   
【手続補正７】
【補正対象書類名】図面
【補正対象項目名】図１
【補正方法】変更
【補正の内容】
【図１】
0003155414.tif 000006
【手続補正８】
【補正対象書類名】図面
【補正対象項目名】図２
【補正方法】変更
【補正の内容】
【図２】
0003155414.tif 000007